(57)【要約】【課題】非常ボタンの乱用、誤操作の防止と、非常ボタンの操作性の向上との両立を図ったエレベータの非常用ボタン装置を得る。【解決手段】非常ボタンの誤操作を防止するために設けられたカバーを備えたエレベータの非常用ボタン装置であって、カバー７は、縦長の流線形状を有し、通常時においては、非常ボタン６の一部または非常ボタンのボタン枠の一部を露出させるように設置されており、非常時においては、流線形状に沿って外力を加えることで、カバー上端部を中心に回転可能な構成を備える。【選択図】図２
2011006224.tif 000002
【特許請求の範囲】
【請求項１】
非常ボタンの誤操作を防止するために設けられたカバーを備えたエレベータの非常用ボタン装置であって、
前記カバーは、縦長の流線形状を有し、通常時においては、前記非常ボタンの一部または前記非常ボタンのボタン枠の一部を露出させるように設置されており、非常時においては、前記流線形状に沿って外力を加えることで、カバー上端部を中心に回転可能な構成を備える
ことを特徴とするエレベータの非常用ボタン装置。
【請求項２】
請求項１に記載のエレベータの非常用ボタン装置において、
前記カバーは、回転可能な方向を示すマークが全面に付されている
ことを特徴とするエレベータの非常用ボタン装置。
【請求項３】
請求項１または２に記載のエレベータの非常用ボタン装置において、
前記カバーは、前記流線形状を有した２枚のカバーを重ね合わせ、それぞれが個別に回転可能に構成されるとともに、通常時においては、前記２枚のカバーの鉛直下端部の傾斜部分が互いに対向するように設置されている
ことを特徴とするエレベータの非常用ボタン装置。
【請求項４】
請求項１または２に記載のエレベータの非常用ボタン装置において、
前記カバーは、回転可能であるとともに摺動可能とするために、前記カバー上端部の回転中心部を長穴形状とする
ことを特徴とするエレベータの非常用ボタン装置。
【発明の詳細な説明】
【技術分野】
【０００１】
本発明は、誤操作等の防止機能を備えたエレベータの非常用ボタン装置に関する。
【背景技術】
【０００２】
エレベータの異常時に操作される非常用ボタンの前面には、悪戯などによる乱用や誤操作を防止するために、カバーを設置する場合がある。このようなカバーとしては、ボタン全面を覆うカバーを上下にスライド可能としたタイプ（例えば、特許文献１参照）、あるいは、回転させることで一時的にカバーを排除でき、指が通る切欠きを設けたタイプ（例えば、特許文献２参照）などが提案されている。
【先行技術文献】
【特許文献】
【０００３】
【特許文献１】特開２００８−１５０１９９号公報
【特許文献２】特開平５−１９３８４８号公報
【発明の概要】
【発明が解決しようとする課題】
【０００４】
しかしながら、従来技術には、以下のような課題がある。
特許文献１に係る発明では、ボタン全面を覆うカバーが上下にスライドするため、スライドできるのか否か分かりづらい。すなわち、例えば、非常時において非常ボタンを操作したい際に、カバーを破砕するのか、スライドさせるのかといった、カバーの排除方法が判別しにくく、即座に排除できないといった問題点があった。
【０００５】
また、特許文献２に係る発明では、指が通る切欠きがカバーに設けられており、この切欠きに指を係合させることでカバーを回転させる、という排除方法を認識することができる。しかしながら、この切欠きを通してボタンを押すことも可能となってしまい、せっかくの乱用防止、誤操作防止の効果が半減してしまう、という可能性があった。
【０００６】
また、切欠きに指を通してカバーを回転させた後にボタンを押す際には、カバーを回転させた指でボタンを押すことができず、他の指でボタンを押すことが必要となる。従って、即座にボタンを押せないといった問題点もあった。
【０００７】
本発明は、前記のような課題を解決するためになされたものであり、非常ボタンの乱用、誤操作の防止と、非常ボタンの操作性の向上との両立を図ったエレベータの非常用ボタン装置を得ることを目的とする。
【課題を解決するための手段】
【０００８】
本発明に係るエレベータの非常用ボタン装置は、非常ボタンの誤操作を防止するために設けられたカバーを備えたエレベータの非常用ボタン装置であって、カバーは、縦長の流線形状を有し、通常時においては、非常ボタンの一部または非常ボタンのボタン枠の一部を露出させるように設置されており、非常時においては、流線形状に沿って外力を加えることで、カバー上端部を中心に回転可能な構成を備えるものである。
【発明の効果】
【０００９】
本発明に係るエレベータの非常用ボタン装置によれば、外形が流線形状を有するカバーを採用し、非常ボタンの一部または非常ボタンのボタン枠の一部を外形から露出させるとともに、流線形状に沿って外力を加えることで、カバー上端部を中心に回転可能な構成とすることにより、非常ボタンの乱用、誤操作の防止と、非常ボタンの操作性の向上との両立を図ったエレベータの非常用ボタン装置を得ることができる。
【図面の簡単な説明】
【００１０】
【図１】本発明の実施の形態１におけるエレベータの非常用ボタン装置が設置されたエレベータかご室内を示す図である。
【図２】本発明の実施の形態１における非常用ボタン装置を示した図である。
【図３】本発明の実施の形態１の図２におけるＹ１−Ｙ１面の断面図である。
【図４】本発明の実施の形態１の非常用ボタン装置における横方向に外力を加えた場合のカバー排除方法を説明するための図である。
【図５】本発明の実施の形態１の非常用ボタン装置における縦方向に外力を加えた場合のカバー排除方法を説明するための図である。
【図６】本発明の実施の形態２における非常用ボタン装置を示した図である。
【図７】本発明の実施の形態２の図６におけるＹ２−Ｙ２面の断面図である。
【図８】本発明の実施の形態２の非常用ボタン装置における横方向に外力を加えた場合のカバー排除方法を説明するための図である。
【図９】本発明の実施の形態２の非常用ボタン装置における縦方向に外力を加えた場合のカバー排除方法を説明するための図である。
【図１０】本発明の実施の形態３における非常用ボタン装置を示した図である。
【図１１】本発明の実施の形態３の図１０におけるＹ３−Ｙ３面の断面図である。
【図１２】本発明の実施の形態３の非常用ボタン装置における横方向に外力を加えた場合のカバー排除方法を説明するための図である。
【図１３】本発明の実施の形態３の非常用ボタン装置における縦方向に外力を加えた場合のカバー排除方法を説明するための図である。
【図１４】本発明の実施の形態４における非常用ボタン装置を示した図である。
【図１５】本発明の実施の形態４の図１４におけるＹ４−Ｙ４面の断面図である。
【図１６】本発明の実施の形態４の非常用ボタン装置における横方向に外力を加えた場合のカバー排除方法を説明するための図である。
【図１７】本発明の実施の形態４の非常用ボタン装置における縦方向に外力を加えた場合のカバー排除方法を説明するための図である。
【発明を実施するための形態】
【００１１】
以下、本発明のエレベータの非常用ボタン装置の好適な実施の形態につき図面を用いて説明する。
【００１２】
実施の形態１．
図１は、本発明の実施の形態１におけるエレベータの非常用ボタン装置が設置されたエレベータかご室内を示す図である。エレベータかご室１は、出入口のかご戸２と、出入口両側に設置されて出入口を形成する袖壁３とを有する。さらに、袖壁３の前面を形成する表板３ａには、かご室１の運行状態などを示すインジケータ４、かご室１の運行を操作する行先階ボタン５、およびエレベータの異常時に操作される非常ボタン６が設けられている。ここで、本発明は、非常ボタン６のカバーに技術的特徴を有するものである。
【００１３】
図２は、本発明の実施の形態１における非常用ボタン装置を示した図である。また、図３は、本発明の実施の形態１の図２におけるＹ１−Ｙ１面の断面図である。本実施の形態１における非常用ボタン装置は、非常ボタン６を押すことができない程度に、非常ボタン６およびボタン枠６ａの一部を露出させるようにして、略菱形状の流線形状のカバー７が配置されている。そして、このカバー７の上端部は、ピン８によってスペーサ１０を介して止め具１１により、表板３ａに回転可能となるように設置されている。
【００１４】
本実施の形態１では、略菱形状の流線形状のカバー７を備えることで、非常ボタン６の乱用、誤操作の防止と、非常ボタン６の操作性の向上との両立を図っている。そこで、このようなカバー７の役目と非常ボタン６の操作について、具体的に説明する。
【００１５】
先の図２に示したように、非常ボタン６およびボタン枠６ａの一部を露出させるように、カバー７が設けられている。このため、カバー７を排除して、非常ボタン６をさらに露出させない限り、非常ボタン６が押されることはない。従って、このカバー７の働きにより、通常時においては、非常ボタン６の乱用、誤操作の防止を図ることができる。
【００１６】
一方、非常時において実際に非常ボタン６を押す必要がある場合には、カバー７を排除する必要があり、この方法について、図面を用いて説明する。図４は、本発明の実施の形態１の非常用ボタン装置における横方向に外力を加えた場合のカバー排除方法を説明するための図である。また、図５は、本発明の実施の形態１の非常用ボタン装置における縦方向に外力を加えた場合のカバー排除方法を説明するための図である。
【００１７】
図４に示すように、どちらか一方の横方向から指９をスライドさせて、カバー７の側面から流線形状の傾斜面に沿わせて外力を加えてカバー７を回転させることで、カバー７を容易に排除できる。また、図５に示すように、下から上に向かって指９をスライドさせて、指９の先端をカバー７の流線形状の傾斜面に沿わせて外力を加えてカバー７を回転させることで、カバー７を容易に排除できる。そして、図４あるいは図５に示したように、カバー７をスライドさせた後に、そのまま指９で非常ボタン６を押すことができる。
【００１８】
本実施の形態１のように、カバー７を流線形状とすることで、傾斜面に沿って指９を容易にスライドさせることができ、カバーが丸形状の場合と比較して、カバーを回転させ易くなっている。さらに、カバー７を流線形状とすることで、指を横方向からスライドさせる場合には、カバー７の縦長部分を指９で押すことになるので、より押し易くなるメリットもある。
【００１９】
以上のように、実施の形態１によれば、略菱形状の流線形状のカバーを備えることで、非常ボタンの乱用、誤操作の防止と、非常ボタンの操作性の向上との両立を容易に実現できる。例えば、停電時の暗闇において手探りによって非常ボタンを探す場合を考えると、非常ボタンやボタン枠の一部を露出させているため、視覚障害者や健常者であっても、非常ボタンの位置を簡単に認識することができる。さらに、カバーを排除しない限り、非常ボタンを誤って押すこともない。
【００２０】
また、流線形状のカバーの傾斜面に沿って指をスライドさせることで、カバーを簡単に排除できるとともに、カバーを排除した指で、非常ボタンを直ちに操作することできる。従って、非常ボタンの操作性の向上を図ることもできる。
【００２１】
実施の形態２．
先の実施の形態１では、カバーの流線形状を略菱形状にした場合について説明した。これに対して、本実施の形態２では、カバーの流線形状を楕円形状とする場合について説明する。
【００２２】
図６は、本発明の実施の形態２における非常用ボタン装置を示した図である。また、図７は、本発明の実施の形態２の図６におけるＹ２−Ｙ２面の断面図である。本実施の形態２における非常用ボタン装置は、非常ボタン６を押すことができない程度に、非常ボタン６およびボタン枠６ａの一部を露出させるようにして、楕円形状の流線形状のカバー７ａが配置されている。そして、このカバー７ａの上端部は、ピン８によってスペーサ１０を介して止め具１１により、表板３ａに回転可能となるように設置されている。
【００２３】
本実施の形態２では、楕円形状の流線形状のカバー７ａを備えることで、非常ボタン６の乱用、誤操作の防止と、非常ボタン６の操作性の向上との両立を図っている。そこで、このようなカバー７ａの役目と非常ボタン６の操作について、具体的に説明する。
【００２４】
先の図６に示したように、非常ボタン６およびボタン枠６ａの一部を露出させるように、カバー７ａが設けられている。このため、カバー７ａを排除して、非常ボタン６をさらに露出させない限り、非常ボタン６が押されることはない。従って、先の実施の形態１におけるカバー７と同様に、このカバー７ａの働きにより、通常時においては、非常ボタン６の乱用、誤操作の防止を図ることができる。
【００２５】
一方、非常時において実際に非常ボタン６を押す必要がある場合には、カバー７ａを排除する必要があり、この方法について、図面を用いて説明する。図８は、本発明の実施の形態２の非常用ボタン装置における横方向に外力を加えた場合のカバー排除方法を説明するための図である。また、図９は、本発明の実施の形態２の非常用ボタン装置における縦方向に外力を加えた場合のカバー排除方法を説明するための図である。
【００２６】
図８に示すように、どちらか一方の横方向から指９をスライドさせて、カバー７ａの側面から流線形状の傾斜面に沿わせて外力を加えてカバー７ａを回転させることで、カバー７ａを容易に排除できる。また、図９に示すように、下から上に向かって指９をスライドさせて、指９の先端をカバー７ａの流線形状の傾斜面に沿わせて外力を加えてカバー７ａを回転させることで、カバー７ａを容易に排除できる。そして、図８あるいは図９に示したように、カバー７ａをスライドさせた後に、そのまま指９で非常ボタン６を押すことができる。
【００２７】
本実施の形態２のように、カバー７ａを流線形状とすることで、傾斜面に沿って指９を容易にスライドさせることができ、カバーが丸形状の場合と比較して、カバーを回転させ易くなっている。さらに、カバー７ａを流線形状とすることで、指を横方向からスライドさせる場合には、カバー７ａの縦長部分を指９で押すことになるので、より押し易くなるメリットもある。
【００２８】
さらに、本実施の形態２では、カバー７ａの流線形状を、楕円形状としている。このような楕円形状を採用することで、先の実施の形態１における略菱形状を採用した場合と比較して、連続する滑らかな曲線によって、よりスム−ズにカバー７ａを回転（排除）させることができる。
【００２９】
以上のように、実施の形態２によれば、楕円形状の流線形状のカバーを備えることで、非常ボタンの乱用、誤操作の防止と、非常ボタンの操作性の向上との両立を容易に実現できる。特に、流線形状を、連続する滑らかな曲線からなる楕円形状とすることで、先の実施の形態１よりも容易にカバーを排除することができ、非常ボタンのさらなる操作性の向上を実現できる。
【００３０】
なお、図６、図８、図９においては、カバー７ａの前面に、排除方向を示す矢印を印刷した場合を例示している。このような表示を行うことで、とっさの場合であっても、誰もが迷うことなく、非常ボタン６を操作できるようになる。そして、このような矢印表示は、他の実施の形態に対しても適用でき、同様の効果を得ることができる。
【００３１】
実施の形態３．
先の実施の形態１、２では、流線形状のカバーを１枚で構成した場合について説明した。これに対して、本実施の形態３では、流線形状のカバーを２枚重ね合わせて構成する場合について説明する。
【００３２】
図１０は、本発明の実施の形態３における非常用ボタン装置を示した図である。また、図１１は、本発明の実施の形態３の図１０におけるＹ３−Ｙ３面の断面図である。本実施の形態３における非常用ボタン装置は、非常ボタン６を押すことができない程度に、非常ボタン６およびボタン枠６ａの一部を露出させるようにして、リーフ状の流線形状を呈したカバー７ｂおよび７ｃが重ね合わされて配置されている（前面側が７ｂで背面側が７ｃ）。そして、これら２枚のカバー７ｂ、７ｃの上端部は、ピン８によってスペーサ１０を介して止め具１１により、表板３ａに回転可能となるように設置されている。
【００３３】
また、カバー７ｃには、ピン８の鉛直下側にストッパー１３が設けてあり、このストッパー１３が、カバー７ｂに当接している。また、ストッパー１３がカバー７ｂに当接している状態では、カバー７ｂとカバー７ｃの下部先端部が開いた状態となっているが、このときの非常ボタン６の露出量は、非常ボタン６を誤って操作されない程度になっている。そして、通常時には、ストッパー１３がカバー７ｂに当接して閉じた状態となっている。
【００３４】
本実施の形態３では、リーフ状の流線形状を呈した２枚のカバー７ｂ、７ｃを備えることで、非常ボタン６の乱用、誤操作の防止と、非常ボタン６の操作性の向上との両立を図っている。そこで、このようなカバー７ｂ、７ｃの役目と非常ボタン６の操作について、具体的に説明する。
【００３５】
先の図１０に示したように、非常ボタン６およびボタン枠６ａの一部を露出させるように、カバー７ｂ、７ｃが設けられている。このため、カバー７ｂ、７ｃを排除して、非常ボタン６をさらに露出させない限り、非常ボタン６が押されることはない。従って、先の実施の形態１におけるカバー７および先の実施の形態２におけるカバー７ａと同様に、このカバー７ｂ、７ｃの働きにより、通常時においては、非常ボタン６の乱用、誤操作の防止を図ることができる。
【００３６】
一方、非常時において実際に非常ボタン６を押す必要がある場合には、カバー７ｂ、７ｃを排除する必要があり、この方法について、図面を用いて説明する。図１２は、本発明の実施の形態３の非常用ボタン装置における横方向に外力を加えた場合のカバー排除方法を説明するための図である。また、図１３は、本発明の実施の形態３の非常用ボタン装置における縦方向に外力を加えた場合のカバー排除方法を説明するための図である。
【００３７】
図１２に示すように、どちらか一方の横方向から指９をスライドさせて、カバー７ｂまたはカバー７ｃの側面から流線形状の傾斜面に沿わせて外力を加えてカバー７ｂ、７ｃを同一方向に回転させることで、カバー７ｂ、７ｃを容易に排除できる。また、図１３に示すように、下から上に向かって指９をスライドさせて、指９の先端をカバー７ｂ、７ｃの流線形状の傾斜面に沿わせて外力を加えて、カバー７ｂ、７ｃが互いに離れる方向に回転させることで、カバー７ｂ、７ｃを容易に排除できる。そして、図１２あるいは図１３に示したように、カバー７ｂ、７ｃをスライドさせた後に、そのまま指９で非常ボタン６を押すことができる。
【００３８】
本実施の形態３のように、リーフ状の流線形状を呈した２枚のカバー７ｂ、７ｃを採用することで、回転軸であるピン８の鉛直直下から上方に向かって指をすばやくスライドさせる場合にも、カバー７ｂ、７ｃを、互いに離れる方向に簡単に回転させることができる。すなわち、通常時にはカバーの下部先端部が開いた状態であるため、非常時に鉛直直下からカバーを押した場合、指９は、最初からカバーの流線形部を押すことになるので、スムーズにカバーが回転することとなる。
【００３９】
これに対して、先の実施の形態１、２のように、カバーを１枚で構成した場合には、鉛直直下から真上に押すと、ピン８が押す力を支持する状態となり、回転しにくいことがある。従って、本実施の形態３のようにカバーを２枚で構成した場合には、先の実施の形態１、２と比較して、引っかかることなくスム−ズに、カバー７ｂおよびカバー７ｃを回転（排除）させることができる。さらに、非常ボタン６の前面にカバー７ｂ、７ｃが重複して配置されているので、耐衝撃性が強化されるメリットも得られる。
【００４０】
以上のように、実施の形態３によれば、リーフ状の流線形状を呈した２枚のカバーを備えることで、非常ボタンの乱用、誤操作の防止と、非常ボタンの操作性の向上との両立を容易に実現できる。特に、リーフ状の流線形状を呈した２枚のカバーを採用することで、鉛直直下から上方に向かって指をすばやくスライドさせた場合にも、引っかかることなくスム−ズにカバーを回転（排除）させることができ、非常ボタンのさらなる操作性の向上を実現できる。さらに、カバーを２重構成とすることで、耐衝撃性の強化を図ることもできる。
【００４１】
なお、上述した実施の形態３の説明では、ストッパー１３によって傾斜部を対向させるように、２枚のカバー７ｂ、７ｃを配置したが、２枚構成のカバーは、このような構成に限定されるものではない。カバー自体の形状や材質変化によって重心を偏芯させて、それぞれの傾斜部を対向させてもよい。また、カバー７ｂ、７ｃをリーフ形状にする場合を一例として示したが、略菱形や楕円形状のものであってもよく、流線形状であれば、同様の効果を得ることができる。
【００４２】
実施の形態４．
先の実施の形態１〜３では、流線形状のカバーの上端部をピン８により固定し、このピン８を中心にしてカバーを回転可能とする構成について説明した。これに対して、本実施の形態４では、回転可能な流線形状のカバーを、さらに摺動可能とする構成について説明する。一例として、先の実施の形態２で示した楕円形状を有する流線形状のカバーに対して、摺動可能とする構成を付加した場合について、以下に説明する。
【００４３】
図１４は、本発明の実施の形態４における非常用ボタン装置を示した図である。また、図１５は、本発明の実施の形態４の図１４におけるＹ４−Ｙ４面の断面図である。本実施の形態４における非常用ボタン装置は、非常ボタン６を押すことができない程度に、非常ボタン６およびボタン枠６ａの一部を露出させるようにして、楕円形状の流線形状のカバー７ｄが配置されている。そして、このカバー７ｄは、中央部の鉛直方向に長穴形状の部分（以下、長穴部分と称す）を有しており、この長穴部分を通過したピン８によって、スペーサ１０を介して止め具１１により、表板３ａに回転可能となるように設置されている。
【００４４】
本実施の形態４では、長穴部分を有する楕円形状の流線形状のカバー７ｄを備えることで、非常ボタン６の乱用、誤操作の防止と、非常ボタン６の操作性の向上との両立を図っている。そこで、このようなカバー７ｄの役目と非常ボタン６の操作について、具体的に説明する。
【００４５】
先の図１４に示したように、非常ボタン６およびボタン枠６ａの一部を露出させるように、カバー７ｄが設けられている。このため、カバー７ｄを排除して、非常ボタン６をさらに露出させない限り、非常ボタン６が押されることはない。従って、先の実施の形態２におけるカバー７ａと同様に、このカバー７ｄの働きにより、通常時においては、非常ボタン６の乱用、誤操作の防止を図ることができる。
【００４６】
一方、非常時において実際に非常ボタン６を押す必要がある場合には、カバー７ｄを排除する必要があり、この方法について、図面を用いて説明する。図１６は、本発明の実施の形態４の非常用ボタン装置における横方向に外力を加えた場合のカバー排除方法を説明するための図である。また、図１７は、本発明の実施の形態４の非常用ボタン装置における縦方向に外力を加えた場合のカバー排除方法を説明するための図である。
【００４７】
図１６に示すように、どちらか一方の横方向から指９をスライドさせて、カバー７ｄの側面から流線形状の傾斜面に沿わせて外力を加えてカバー７ｄを回転させることで、カバー７ｄを容易に排除できる。この動作は、先の実施の形態２における図８と同様である。
【００４８】
また、図１７に示すように、下から上に向かって指９をスライドさせて、指９の先端をカバー７ｄの流線形状の傾斜面に沿わせて外力を加えてカバー７ｄを回転させ、かつ長穴部分に沿ってカバー７ｄを上昇させることで、カバー７ｄを容易に排除できる。そして、図８あるいは図９に示したように、カバー７ｄをスライドさせた後に、そのまま指９で非常ボタン６を押すことができる。
【００４９】
本実施の形態４のように、長穴部分を有する流線形状のカバー７ｄを採用することで、下方向から操作する際には、図１７に示すように、ピン８が長穴に沿うようにして、カバー７ｄを上昇させながら、かつ回転させることができる。さらに、ピン８の鉛直直下から操作した場合には、カバー７ｄがほとんど回転することなく上昇することで、非常ボタン６を押すことができる。このように、長穴部分を備えることで、カバー７ｄを回転および摺動させることが可能となり、特に、下方向から操作する際にも、容易に排除することができる。
【００５０】
以上のように、実施の形態４によれば、長穴部分を有する流線形状のカバーを備えることで、非常ボタンの乱用、誤操作の防止と、非常ボタンの操作性の向上との両立を容易に実現できる。特に、長穴部分を設けることで、カバーを回転動作に加えて摺動動作させることを可能としており、非常ボタンのさらなる操作性の向上を実現できる。
【００５１】
なお、この長穴部分は、先の実施の形態１における略菱形状の流線形状のカバーのように、流線形状を有するカバーに対して適用することができ、同様の効果を得ることができる。
【符号の説明】
【００５２】
６  非常ボタン、６ａ  ボタン枠、７、７ａ、７ｂ、７ｃ、７ｄ  カバー。
【図１】
2011006224.tif 000003
【図２】
2011006224.tif 000004
【図３】
2011006224.tif 000005
【図４】
2011006224.tif 000006
【図５】
2011006224.tif 000007
【図６】
2011006224.tif 000008
【図７】
2011006224.tif 000009
【図８】
2011006224.tif 000010
【図９】
2011006224.tif 000011
【図１０】
2011006224.tif 000012
【図１１】
2011006224.tif 000013
【図１２】
2011006224.tif 000014
【図１３】
2011006224.tif 000015
【図１４】
2011006224.tif 000016
【図１５】
2011006224.tif 000017
【図１６】
2011006224.tif 000018
【図１７】
2011006224.tif 000019